(57)【要約】 【課題】  大断面の無垢材でなく安定供給できる小径木の角材を利用して構造体柱、構造体袖付柱、構造体梁、構造体袖付梁が供給地周辺で加工でき、準防火構造・耐震構造の小径木の角材構造体工法と継手、仕口部の剛節構造を開発すること。【解決手段】  本発明の小径木の角材からなる建築物の木造骨組構造は小径木の角材を利用した木材の構造体工法であって、小径木の角材の接合部に構造接着剤３４を塗布し、２方向の直交したボルト３１とビス３３を介し、構造体の構造体柱、構造体袖付柱、構造体梁、構造体袖付梁と、継手、仕口はＴ字形プレート金物３０、十字形プレート金物２９にボルト３１を直交させて、剛節構造と耐火材と埋木４５をして結露による腐食と火災時の金物の歪み、木材の損傷や腐食をなくしたことを特徴したものである。【選択図】  図１
2014062448.tif 000002
【特許請求の範囲】
【請求項１】
柱、梁を構成する小径木の角材と、継手、仕口で使用するプレート金物とからなる木造骨組構造において、小径木の角材の接合部に構造接着剤を塗布して結合させて構造体柱、構造体袖付柱、構造体梁、構造体袖付梁を構成し、継手、仕口において、金物を埋める形状に加工をした小径木の間にプレート金物を埋め込みボルトで結合させて継手、仕口を剛節構造としたことを特徴とする小径木の角材からなる建築物の木造骨組構造。
【請求項２】
小径木の角材の接合部に構造接着剤を塗布し、直交したボルトやビスを介しで結合をさせて構造体柱、構造体袖付柱、構造体梁、構造体袖付梁としたことを特徴とする請求項１に記載の小径木の角材からなる建築物の木造骨組構造。
【請求項３】
継手は上側の構造体柱または構造体袖付柱に下側の構造体柱または構造体袖付柱の上部をプレート金物で接続し、直交したボルトを介して接続することを特徴とする請求項１に記載の小径木の角材からなる建築物の木造骨組構造。
【請求項４】
仕口は構造体柱または構造体袖付柱に大入れ及びほぞ加工をした構造体梁または構造体袖付梁をプレート金物で接続し、直交したボルトを介して接続することを特徴とする請求項１に記載の小径木の角材からなる建築物の木造骨組構造。
【請求項５】
金物が使用されている木材の表面は耐火材と埋木をすることを特徴とする請求項１〜４に記載の小径木の角材からなる建築物の木造骨組構造。
【請求項６】
金物を埋める形状は柱の中心に位置していることを特徴とする請求項１に記載の小径木の角材からなる建築物の木造骨組構造。
【請求項７】
金物はＴ字形プレート金物、十字形プレート金物、I字形プレート金物、L字形相欠きプレート金物、鍔付きI字形プレート金物、鍔付きL字形プレート金物、I字形相欠きプレート金物のいずれか１っを採用することを特徴とする請求項１に記載の小径木の角材からなる建築物の木造骨組構造。
【発明の詳細な説明】
【技術分野】
【０００１】
本発明は、小径木の角材からなる建築物の木造骨組構造に関するものである。
【背景技術】
【０００２】
森林の６７％が杉・桧で伐採時期を迎え、森林資源の有効利用と木材産業の活性化を図ることが望まれています。近代都市の中で木材の利用が減っており、森林の伐採→植林→保育→再び伐採の環境が減っています。
大切な間伐などの保育作業が遅れている森林も多く、間伐材の積極的な利用も大きな課題です。
このまま木材の利用が減少すれば、山が荒廃し、里山で進化してきた生物が棲みにくく、生態系が崩れて森林は人々も生活や利用しにくい森林になります。
森林の整備が進み、山崩れや表土の流出を防ぐとともに、保水力が増大し、森林環境の改善が進み、木材を有効利用されることで植林地の良好な環境ができ生物の多様性が生まれ、里山が維持でき、木材産業の活性化と発展が図れます。
【０００３】
このような考え方に基づいて、古くから間伐材から形成した小径木の木造骨組構造が開発されている。
【先行技術文献】
【特許文献】
【０００４】
【特許文献１】特開２０１２−８２６０９号公報
【特許文献２】特公平７−９１８６３号公報
【特許文献３】特許第２６０１１１５号公報
【非特許文献１】「集成材建築」  (有)建築思潮研究所  発行１９９５年８月２５日178〜182頁
【発明の開示】
【発明が解決しようとする課題】
【０００５】
特許文献１については、小径木を当接状態に纏めた構造体柱、構造体梁の木造建築物で、梁材はボルトで接合し、小径木柱と小径木柱を羽子板金物で接続されている。
しかし、ボルトでの接合では小径木の本数分だけの荷重の支持である。
また、小径木柱と小径木梁を２段の羽子板金物で接続では水平荷重が別々にかかり、仕口の接合部がピン接合で弱く、準耐火性もない構造です。
【０００６】
特許文献２については、幅および高さが同一の木質単位素材の自由な組み合わせで中空のある柱や梁を構成し、中空部の中空部構造材も幅および高さが同一の木質単位素材を組み合わせることで中空部に嵌め込む中空部構造材、継手、仕口等も木質単位素材の幅および高さ寸法の整数倍の大きさになって、連結がし易く、電気配線、配管等が中空部に容易にできるが仕口の接合部が弱く、中空部の空気の通気がなく、黴が生え易い環境になるとともに火災時は煙道になり耐火性も弱い構造です。
【０００７】
特許文献３については、構造体構造における柱・梁接合部構造は構造体梁の端部に位置する端部材を構造体柱に貫通させ、これにボルトで剛に接合した接合部構造にしてあり、構造体柱はラミナした端部材の入隅に接し、接合部を高さ方向に貫通する４本の通し柱で挟み、管柱が下端面や天端面に突き当たり剛接合されている。
また、端部材と構造体梁は応力の小さい支持部の接合金物で接合され、純ラーメン構造の架構を組み立て合理的な架構になっているが柱が階の中間部で４本の通柱を同一場所で突き付けの継手がしてあり、管柱を通して上下のボルトで接続されているが突き付けた通柱と管柱に一体的に応力に対応ができず、応力の伝達は不十分でラーメン構造の曲げ応力が加わると管柱に大きな力が加わり、通柱と管柱を接続したボルトにも大きな加重がかかり、通柱の突き付け部とボルト部が破断し、管柱で荷重を支えて通柱には伝達が不十分な構造になり、弱い構造になっている。
また、ボルトと接合金物が露出することにより長期にわたり構造体柱のボルトと接合金物部に結露が発生し、腐食の原因とボルトと接合金物の錆の発生と結露による構造体柱のボルトと接合金物の接触部に腐食による木痩せが発生しるとともに火災時の初期から熱の影響を受け、ボルトと接合金物が歪み、構造体柱のボルトと接合金物部の接触部が熱の為に損傷する。
【０００８】
非特許文献１は木材を板材状にして短材をフィンガー継手で継ぎ積層の構造体柱・構造体梁にしているが板状の短材をフィンガー継手で継ぎ、板材を重層にして構造接着剤で接合し、大きなプレス機で接合させて構造体を製作し、はみ出した構造接着剤と材を削り加工が必要になる。
また、構造体建築における接合部は構造体梁部材と構造体梁部材、構造体柱部材と構造体梁部材を接続用挿入鋼板ガセットにトルフトピンで接続しているが構造体梁部材の継手はできるが構造体柱部材と構造体柱部材の継手は難しい。
さらに、金属を被覆しないで結合させている為、結露が発生し、経年変化で結露による金属部の錆や木材の腐食が見られ、火災時は金属部が熱を帯びて歪み、金属部の伝導熱で木部が大きく損傷していく、継手、仕口の接合部が弱く、金属部が耐火性も弱い構造です。
【課題を解決するための手段】
【０００９】
本発明はかかる問題点を解決すべく発明されたものであって、小径木の角材からなる構造体からなる木造骨組構造において、柱、梁を構成する小径木の角材と、継手、仕口で使用するプレート金物とからなる木造骨組構造において、小径木の角材の接合部に構造接着剤を塗布して結合させて構造体柱、構造体袖付柱、構造体梁、構造体袖付梁を構成し、継手、仕口において、金物を埋める形状に加工をした小径木の間にＴ字形プレート金物、十字形プレート金物を埋め込み直交したボルトとビスを介して結合させて継手、仕口を剛節構造としたことを特徴とする。
【００１０】
小径木の角材の接合部に構造接着剤を塗布し、直交したボルトやビスを介しで結合をさせて構造体柱、構造体袖付柱、構造体梁、構造体袖付梁としたことを特徴とする。
【００１１】
また、継手は上側の構造体柱または構造体袖付柱に下側の構造体構造体柱または構造体袖付柱の上部を十字形プレート金物で接続し、直交したボルトを介して接続することを特徴とする。
【００１２】
また、仕口は構造体柱または構造体袖付柱に大入れ及びほぞ加工をした構造体梁または構造体袖付梁をＴ字形プレート金物または十字形プレート金物で接続し、直交したボルトを介して接続することを特徴とする。
【００１３】
また、金物が使用されている木材の表面は耐火材と埋木をすることを特徴とする。
【００１４】
金物を埋める形状は柱の中心に位置していることを特徴とする。
【００１５】
金物はＴ字形プレート金物、十字形プレート金物、I字形プレート金物、L字形相欠きプレート金物、鍔付きI字形プレート金物、鍔付きL字形プレート金物、I字形相欠きプレート金物のいずれか１っを採用することを特徴とする。
【００１６】
次に作用ついて説明する。本発明の小径木の角材からなる建築物の木造骨組構造は三位一体の構造にすることができ接合が強固で無垢材の大断面より均一化が図ることができる。
【発明の効果】
【００１７】
本発明の小径木の角材からなる建築物の木造骨組構造は小径木の角材の接合部を構造接着剤とビスとボルトで接合することで構造体柱または構造体梁を構成し、継手・仕口おいてはプレート金物に直交させたボルトを介することで剛節構造としたことで、三位一体の構造にすることができ構造計算が容易になり、許容耐力大きい大スパーンの建物や中層建築に利用できる。
【００１８】
小径木の角材からなる建築物の木造骨組構造は小径木の角材に直交したボルトやビスで構造接着剤を薄くでき、三位一体の構造にすることで接合が強固で無垢材の大断面材より均一化する。
【００１９】
小径木を構造体にすることで防火性能が上がり準耐火構造（燃えしろ設計）にすることができ、金物の木材表面に耐火材と埋木で被覆をすることで金物部の結露の発生がなく、金物の防錆と木材の腐食の発生がなくなり、火災時初期の熱の影響を排除できる。金物が熱のよる変形や強度低下を防ぎ、安全で恒久的な木造建築になる。
【００２０】
継手は下部の構造体柱、構造体袖付柱にプレート金物が固定され、上部の構造体柱、構造体袖付柱に直交させたボルトを介して剛節構造することができ、中層建築が可能になる。
【００２１】
仕口は構造体柱、構造体袖付柱にプレート金物が固定されていて構造体梁、構造体袖付梁を直交させたボルトを介して剛節構造するこができ、ラーメン構造になり剛節構造になる。
【００２２】
横架材の構造体梁は構造体柱、構造体袖付柱の中心と偏心の構成があるが中心にするとで仕口部のプレート金物やボルト及び構造体柱、構造体袖付柱、横架材の構造体梁に捩れが擱きにくく荷重を均等に伝えることができか荷重分布も良い。
【００２３】
プレート金物として十字形プレート金物、Ｔ字形プレート金物、I字形プレート金物、L字形相欠きプレート金物、鍔付きI字形プレート金物、鍔付きL字形プレート金物、I字形相欠きプレート金物、鍔付きＩ字形相欠きプレート金物を採用することにより、それ以外のプレート金物を採用した場合に比べ仕口部・継手部の剛節構造が得やすい。
【００２４】
仕口には歪みが少ないプレート金物と木材加工部の隙間が少なくでき、施工精度が良くなり、注入する流動性のケミカル樹脂量を減らし、仕口・継手を強固に固定した剛節構造になる。
【図面の簡単な説明】
【００２５】
【図１】同隅部４本構造体偶数柱、８本構造体梁、仕口平面図
【図２】同中間部継手４本構造体偶数柱側面図
【図３】同中間部継手４本構造体偶数柱、６本構造体偶数柱平面図
【図４】同４本構造体偶数柱脚部、６本構造体偶数柱脚部側面図
【図５】同４本構造体偶数柱脚部、６本構造体偶数柱脚部平面図
【図６】本発明に係る小径木の偶数柱断面・側面図
【図７】同小径木の奇数柱断面・側面図
【図８】同小径木の梁断面・側面図
【図９】同小径木の３方向十字形プレート金物加工部断面・側面図
【図１０】同構造体柱の３方向十字形プレート金物加工部断面・側面図
【図１１】同小径木の中間部継手十字形プレート金物加工部断面・側面図
【図１２】同構造体柱の中間部継手十字形プレート金物加工部断面・側面図
【図１３】同十・Ｔ字形プレート金物平面・側面図
【図１４】同十字形プレート金物平面・側面図
【図１５】同柱継手十字形プレート金物平面・側面図
【図１６】同３方向部構造体偶数柱、８本構造体梁、仕口加工平面図
【図１７】同４本構造体偶数柱、８本構造体梁、仕口加工断・側面図
【図１８】同小径木の角材の４本構造体偶数柱、８本構造体梁全体構成図
【図１９】同４〜５０本構造体柱、６〜５４本構造体袖付柱平面図
【図２０】同７〜５４本構造体袖付柱平面図１
【図２１】同７〜５４本構造体袖付柱平面図２
【図２２】同２列４〜１２本構造体梁、６〜１４本構造体袖付梁断面図
【図２３】同３列８〜１８本構造体梁、８〜２０本構造体袖付梁断面図
【図２４】同３方向部４本構造体偶数柱、８本構造体梁、仕口平面図
【図２５】同中央部４本構造体偶数柱、８本構造体梁、仕口平面図
【図２６】同中間階４本構造体偶数柱、８本構造体梁、仕口断・側面図
【図２７】同最上階４本構造体偶数柱、８本構造体梁、仕口断・側面図
【図２８】同中間階継手４本構造体偶数柱、８本構造体梁、仕口断・側面図
【図２９】同隅部９本構造体奇数柱、８本構造体梁、仕口平面図
【図３０】同３方向部９本構造体奇数柱、８本構造体梁、仕口平面図
【図３１】同中央部９本構造体奇数柱、８本構造体梁、仕口平面図
【図３２】同中間階部９本構造体奇数柱、８本梁、仕口断・側面図
【図３３】同最上階９本構造体奇数柱、８本構造体梁、仕口断・側面図
【図３４】同中間階継手９本構造体奇数柱、８本構造体梁、仕口断・側面図
【図３５】同中間部継手９本構造体奇数柱側面図
【図３６】同中間部継手９本構造体奇数柱、１１本構造体奇数柱平面図
【図３７】同９本構造体奇数柱、１１本構造体奇数柱脚部側面図
【図３８】同９本構造体奇数柱、１１本構造体奇数柱脚部平面図
【図３９】同隅部２０本構造体偶数柱、１６本構造体隅数梁、I字形相欠きクロス交差プレート金物、仕口平面図
【図４０】同隅部・中間階２０本構造体偶数柱、１６本構造体隅数梁、I字形相欠きクロス交差プレート金物、仕口側面図
【図４１】同隅部・最上階２０本構造体偶数柱、１６本構造体隅数梁、I字形クロス相欠きプレート金物、仕口側面図
【図４２】同隅部・中間階継手部柱２０本構造体偶数柱、１６本構造体隅数梁、Ｌ字          形相欠きクロス交差プレート金物、仕口側面図
【図４３】同２０本構造体偶数柱・脚柱、I字形プレート金物、仕口平面図
【図４４】同２０本構造体偶数柱・脚柱、I字形プレート金物、仕口側面図
【図４５】同２０本構造体偶数柱・中間階継手柱、I字形相欠きクロス交差プレート金物、仕口平面図
【図４６】同２０本構造体偶数柱・中間階継手柱、I字形相欠きクロス交差プレート金物、仕口側面図
【図４７】同隅部２０本構造体偶数柱、１６本構造体隅数梁、I字形相欠きクロス交差プレート金物、仕口平面図
【図４８】同隅部・中間階２０本構造体偶数柱、１６本構造体隅数梁、I字形相欠きクロス交差プレート金物、仕口側面図
【図４９】同隅部・最上階２０本構造体偶数柱、１６本構造体隅数梁、I字形相欠きクロス交差プレート金物、仕口側面図
【図５０】同隅部・中間階継手部柱２０本構造体偶数柱、１６本構造体隅数梁、L字形          相欠きクロス交差プレート金物、仕口側面図
【図５１】同２０本構造体偶数柱・脚柱、I字形プレート金物、仕口側面図
【図５２】同２０本構造体偶数柱・脚柱、I字形プレート金物、仕口平面図
【図５３】同２０本構造体偶数柱・中間階継手柱、I字形相欠きクロス交差プレート金物、仕口平面図
【図５４】同２０本構造体偶数柱・中間階継手柱、I字形相欠きクロス交差プレート金物、仕口側面図
【図５５】同隅部１８本構造体偶数柱、１６本構造体隅数梁、I字形プレート金物、仕口平面図
【図５６】同隅部・中間階１８本構造体偶数柱、１６本構造体隅数梁、I字形プレート          金物、仕口側面図
【図５７】同隅部・最上階１８本構造体偶数柱、１６本構造体隅数梁、I字形プレート          金物、仕口側面図
【図５８】同隅部・中間階継手部柱１８本構造体偶数柱、１６本構造体隅数梁、L、I字形プレート金物、仕口平面図
【図５９】同隅部・中間階継手部柱１８本構造体偶数柱、１６本構造体隅数梁、L、I字形プレート金物、仕口側面図
【図６０】同１８本構造体偶数柱・脚柱、I字形プレート金物、仕口側面図
【図６１】同１８本構造体偶数柱・脚柱、I字形プレート金物、仕口平面図
【図６２】同２０本構造体偶数柱・中間階継手柱、I字形相欠きクロス交差プレート金物、仕口平面図
【図６３】同２０本構造体偶数柱・中間階継手柱、I字形相欠きクロス交差プレート金物、仕口側面図
【図６４】同隅部１８本構造体偶数柱、１６本構造体隅数梁、鍔付きI字形プレート金物、仕口平面図
【図６５】同隅部・中間階１８本構造体偶数柱、１６本構造体隅数梁、鍔付きI字形プ          レート金物、仕口側面図
【図６６】同隅部・最上階１８本構造体偶数柱、１６本構造体隅数梁、鍔付きI字形プ          レート金物、仕口側面図
【図６７】同隅部・中間階継手部柱１８本構造体偶数柱、１６本構造体隅数梁、鍔付きＬ、Ｉ字形プレート金物、仕口平面図
【図６８】同隅部・中間階継手部柱１８本構造体偶数柱、１６本構造体隅数梁、鍔付きL、Ｉ字形プレート金物、仕口側面図
【図６９】同１８本構造体偶数柱・脚柱、I字形プレート金物、仕口側面図
【図７０】同１８本構造体偶数柱・脚柱、I字形プレート金物、仕口平面図
【図７１】同１８本構造体偶数柱・中間階継手柱、鍔付きI字形プレート金物、仕口平面図
【図７２】同１８本構造体偶数柱・中間階継手柱、鍔付きI字形プレート金物、仕口側面図
【図７３】同隅部８本構造体偶数柱、１６本構造体隅数梁、鍔付きI字形プレート金物、仕口平面図
【図７４】同隅部・中間階８本構造体偶数柱、１６本構造体隅数梁、鍔付きI字形プレ          ート金物、仕口側面図
【図７５】同隅部・最上階８本構造体偶数柱、１６本構造体隅数梁、鍔付きI字形プレ          ート金物、仕口側面図
【図７６】同隅部・中間階継手部柱８本構造体偶数柱、１６本構造体隅数梁、鍔付きI  字形相欠きクロス交差プレート金物、仕口平面図
【図７７】同隅部・中間階継手部柱１８本構造体偶数柱、１６本構造体隅数梁、鍔付きL字形相欠きクロス交差プレート金物、仕口側面図
【図７８】同８、１２本構造体偶数柱・脚柱、I字形プレート金物、仕口側面図
【図７９】同８、１２本構造体偶数柱・脚柱、I字形プレート金物、仕口平面図
【図８０】同１８本構造体偶数柱・中間階継手柱、I字形相欠きクロス交差プレート金物、仕口平面図
【図８１】同１８本構造体偶数柱・中間階継手柱、I字形相欠きクロス交差プレート金物、仕口側面図
【発明を実施するための形態】
【００２６】
以下に、本発明の小径木の角材からなる建築物の木造骨組構造の図面を用いて説明する。
尚、プレート金物をＴ字形プレート金物また十字形プレート金物を採用した場合について先に説明する。
【００２７】
建築物の木造骨組構造は小径木の柱、梁による接合で構造接着剤とビスとボルトで大断面の柱や梁を形成して均質化が図れ、準耐火建築（燃えしろ設計）の許容耐力が大きい大スパーンの建築物が可能になります。
また、構造体柱と構造体柱を十字形プレート金物に直交したボルトで接合することで剛節構造になり、中層建築が可能になります。
さらに、基礎コンクリートに十字形プレート金物を埋め込むことで剛節構造になり、直交したボルト接合で金物と木材が三位一体になり応力の伝達が良く、継手・基礎アンカーの許容耐力が飛躍的に向上します。
以上４本偶数の小径木や９本奇数の構造体柱や２列４段の構造体梁で説明しましたが構造体柱、構造体梁はいろいろな形状や大きさが考えられる。
【００２８】
以下、本発明を実施するための最良の形態を図面に基づいて詳細に説明する。本発明は図１に記載されているように、隅部4本構造体偶数柱、8本構造体梁、仕口平面図は小径木75〜150角１−１の仕口部４９に大入穴３７とほぞ孔３８を加工し、小径木75〜150角１−１と小径木75〜150角１−１の間を加工してＴ字形プレート金物３０を接合し、直交したボルト３１やビス３３を介して小径木75〜150角、構造体柱、4〜50本２１にする。
また、梁は小径木75〜150角１−１と小径木75〜150角１−１の間の加工穴５１を設け、ほぞ３８を加工し、直交したボルト３１やビス３３を介して小径木75〜150角2列、構造体梁、4〜12本２３にして小径木75〜150角、構造体柱、4〜50本２１の大入穴３７とほぞ孔３８に挿入し、直交したボルト３１を介して剛節構造にする。
さらに、ボルト３１、ビス３３、Ｔ字形プレート金物３０の木材表面に耐火材と埋木２９をする
【００２９】
本発明は図２に記載されているように、中間階継手4本構造体偶数柱側面図で梁天端より1,000ｍｍ２７上がりの継手部４８で下側の小径木75〜150角、構造体柱、4〜50本２１に直交させたボルトとビスで十字形プレート金物２９を接合し、上側の小径木75〜150角、構造体柱、4〜50本２１に直交させたボルトとビスで接続する。
また、ビス３３、ボルト３１、十字形プレート金物２９の木材表面に耐火材と埋木４５をする。
【００３０】
本発明は図３に記載されているように、中間部継手4本構造体偶数柱、6本構造体柱平面図の（Ａ）は継手部４８の上部４３と下部４４の小径木75〜150角、構造体柱、4〜50本２１です。（Ｂ）は継手部４８の上部４３と下部４４の小径木75〜150角、構造体袖付柱、4〜50本２２です。
【００３１】
本発明は図４に記載されているように、4本構造体偶数柱脚、6本構造体偶数柱脚側面図の（Ａ）は十字形プレート金物２９を基礎コンクリート４６に埋め込み、基礎コンクリート４６の上部に毛細管現象防止の液体ガラス４０塗り、上部に小径木75〜150角、構造体柱、4〜50本２１の小径木と小径木の間に大きく加工し、十字形プレート金物２９に上部より建て込み、直交したボルト３１を介して取り付け、建て込み調整後にケミカル樹脂注入孔４２よりケミカル樹脂４１を注入する。
（Ｂ）は小径木75〜150角、構造体袖付柱、６〜5４本２２も上記と同様の接続にする。
さらに、ビス３３、ボルト３１、十字形プレート金物２９の木材表面に耐火材と埋木４５をする。
【００３２】
本発明は図５に記載されているように、4本構造体偶数柱脚、6本構造体偶数柱脚平面図の（Ａ）は図２７と同様の接続にする。
（Ｂ）は図４と同様の接続にする。
さらに、ビス３３、ボルト３１、十字形プレート金物２９の木材表面に耐火材と埋木４５をする。
【００３３】
本発明の図６の小径木の偶数柱断面・側面図に示しているように、（Ａ）は間伐材の小径木75〜150角１−１偶数の小径木75〜150角断面１−２です。（Ｂ）は小径木75〜150角１−１の側面の小径木75〜150角側面３です。
（Ｃ）は小径木75〜150角１−１の小径木75〜150角、構造体柱、4〜50本２１の小径木75〜150角、構造体柱の偶数柱断面２です。（Ｄ）は構造接着剤３４を塗布し、直交したボルト３１ピッチ1000ｍｍやビス３３ピッチ250ｍｍで接合されている小径木75〜150角、構造体柱、4〜50本２１の小径木75〜150角、構造体柱の偶数柱側面４です。
【００３４】
本発明の図７に記載されているように、小径木の奇数柱断面・側面図の（Ａ）は間伐材の小径木75〜150角１−１奇数の断面の小径木75〜150角断面１です。（Ｂ）は小径木75〜150角１−１奇数の小径木75〜150角側面３です。
（Ｃ）は小径木75〜150角１−１の小径木75〜150角、構造体柱、4〜50本２１の小径木75〜150角、構造体柱の奇数柱断面５です。
（Ｄ）は小径木75〜150角１−１の接合部に構造接着剤３４を塗布し、直交したボルト３１ピッチ1000ｍｍやビス３３ピッチ250ｍｍで接合されている奇数側面の小径木75〜150角、構造体柱の奇数柱側面６です。
【００３５】
本発明の図８に記載されているように、小径木の梁断面・側面図の（Ａ）は間伐材の小径木75〜150角１−１の小径木75〜150角断面１です。（Ｂ）は小径木75〜150角１−１の小径木75〜150角側面３です。
（Ｃ）は小径木75〜150角１−１の小径木75〜150角２列、構造体梁、4〜12本２３の小径木75〜150角構造体の梁断面７です。（Ｄ）は小径木75〜150角１−１の接合部に構造接着剤３４を塗布し、直交したボルト３１ピッチ1000ｍｍやビス３３ピッチ250ｍｍで接合されている小径木75〜150角２列、構造体梁、4〜12本２３の小径木75〜150角、構造体の梁側面８です。
【００３６】
本発明の図９に記載されているように、小径木の３方向十字形プレート金物加工部断面・側面図の（Ａ）は柱の小径木75〜150角１−１の小径木の十字形プレート金物接合柱加工部断面９−１で１−１断面です。（Ｂ）は柱の十字形プレート金物接合部１４−５と梁挿入部５０とボルト穴３２の加工された小径木75〜150角１−１の加工断面で小径木の十字形プレート金物接合柱加工部側面１０−１でＡ−Ａ側面です。（Ｃ）は柱の小径木75〜150角１−１の柱脚十字形プレート金物接合部１５−３とボルト穴３２を加工した小径木75〜150角１−１の小径木の柱脚十字形プレート金物接合柱加工側面１１−１です。
（Ｄ）は柱の小径木75〜150角１−１の接合部に十字形プレート金物接合部１４−５と梁挿入部５０とボルト穴３２を加工された小径木の梁挿入部柱加工部断面１２−１、２−２の断面です。
（Ｅ）は柱の小径木75〜150角１−１の接合部に十字形プレート金物接合部１４−５と梁挿入部５０とボルト穴３２を加工された小径木75〜150角１−１の加工の小径木の梁挿入部柱加工部側面１３−１、ＢーＢ側面です。
【００３７】
本発明の図１０に記載されているように、構造体柱の３方向十字形プレート金物加工部断面・側面図の（Ａ）は小径木75〜150角、構造体柱、4〜50本２１の接合部に十字形プレート金物接合部１４−５と梁挿入部５０とボルト穴３２を加工されている構造体柱十字形プレート金物接合柱加工断面９−２、３−３断面です。
（Ｂ）は小径木75〜150角、構造体柱、4〜50本２１に十字形プレート金物接合部１４−５とボルト穴３２を加工した構造体柱の十字形プレート金物接合柱加工断面１０−２、Ｃ−Ｃ側面です。
（Ｃ）は柱脚の小径木75〜150角、構造体柱、4〜50本２１に十字形プレート金物接合部１５−３とボルト穴３２を加工した構造体柱の柱脚十字形プレート金物接合柱加工部側面１１−２です。
（Ｄ）は小径木75〜150角、構造体柱、4〜50本２１に十字形プレート金物接合部１４−５と梁挿入部５０とボルト穴３２を加工した小径木75〜150角、構造体柱、4〜50本２１の構造体柱の梁挿入部柱加工部断面１２−２、４−４断面です。
（Ｅ）は小径木75〜150角、構造体柱、4〜50本２１に梁挿入部５０とボルト穴３２を加工した小径木75〜150角、構造体柱、4〜50本２１の構造体柱の梁挿入部柱加工部側面１３−２Ｄ−Ｄ側面です。
【００３８】
本発明の図１１に記載されているように、小径木の中間部継手十字形プレート金物加工部断面・側面図の（Ａ）は柱の小径木75〜150角１−１に十字形プレート金物接合部１４−５とボルト穴３２の加工された小径木の中間部金物接合柱加工部断面１７−１、５−５断面です。
（Ｂ）は柱の小径木75〜150角１−１に十字形プレート金物接合部１４−５に梁天端２８・継手部４８を持ち、下部４４に上部４３があり、ボルト穴３２の加工された小径木75〜150角１−１の小径木の中間部金物接合柱加工部側面１８−１、Ｅ−Ｅ側面です。
（Ｃ）は柱の小径木75〜150角１−１に十字形プレート金物接合部１４−５とボルト穴３２の加工された小径木75〜150角１−１の小径木の中間部、梁天端より1,000金物接合柱加工部断面１９−１、６−６断面です。
（Ｄ）は柱の小径木75〜150角１−１に十字形プレート金物接続部１４−５の中間部に梁天端より1,000２７に継手部４８を持ち、下部４４に上部４３があり、ボルト穴３２の加工された小径木の75〜150角１−１の小径木の中間部、梁天端より1,000金物接合柱加工部側面２０−１、Ｆ−Ｆ側面です。
【００３９】
本発明の図１２に記載されているように、構造体柱の中間部継手十字形プレート金物加工部断面・側面図の（Ａ）は十字形プレート金物接合部１４−５と梁挿入部５０とボルト穴３２を加工した小径木75〜150角、構造体柱、4〜50本２１の構造体柱の中間部金物接合部断面１７−２、７−７断面です。
（Ｂ）は十字形プレート金物接合部１４−５と梁挿入部５０とボルト穴３２を加工した小径木75〜150角、構造体柱、4〜50本２１の構造体柱の中間部金物接合部側面１８−２、Ｇ−Ｇ側面です。
（Ｃ）は十字形プレート金物接合部１４−５に梁天端２８・継手部４８があり、下部４４に上部４３が接続され、ボルト穴３２の加工された小径木75〜150角、構造体柱、4〜50本２１の構造体柱の中間部梁天端より1,000金物接合柱加工部断面１９−２、８−８側面です。（Ｄ）は十字形プレート金物接合部１４−５に梁天端２８・継手部４８があり、下部４４に上部４３が接続され、ボルト穴３２の加工された小径木75〜150角、構造体柱、4〜50本２１の構造体柱の中間部梁天端より1,000金物接合柱加工側面２０−２、Ｈ−Ｈ側面です。
【００４０】
本発明の図１３に記載されているように、十・Ｔ字形プレート金物平面・側面図の（Ａ）はボルト穴３２の加工された十字形プレート金物２９の柱脚十字形プレート金物平面１５−１です。
（Ｂ）は十字形プレート金物２９に上部にはボルト穴３２が加工され、基礎コンクリート４６埋め込み部には貫通穴とアンカー鉄筋４７が接続した柱脚十字形プレート金物側面１５−２です。
（Ｃ）はボルト穴３２の加工されたＴ字形プレート金物３０のＴ字形プレート金物平面１４−１です。
（Ｄ）（Ｅ）はボルト穴３２の加工されたＴ字形プレート金物３０のＴ字形プレート金物側面１４−２です。
【００４１】
本発明の図１４に記載されているように、十字形プレート金物平面・側面図の（Ａ）はボルト穴３２の加工された十字形プレート金物２９の十字形プレート金物平面１４−３です。
（Ｂ）（Ｃ）はボルト穴３２の加工された十字形プレート金物２９の十字形プレート金物側面１４−４です。
（Ｄ）はボルト穴３２の加工された十字形プレート金物２９の十字形プレート金物平面１４−３です。
（Ｅ）（Ｆ）ボルト穴３２の加工された十字形プレート金物２９の十字形プレート金物側面１４−４です。
【００４２】
本発明の図１５に記載されているように、中間部柱継手十字形プレート金物平面・側面図の（Ａ）はボルト穴３２の加工された十字形プレート金物２９の十字形プレート金物平面１４−３です。
（Ｂ）、（Ｃ）はボルト穴３２の加工された十字形プレート金物２９で小径木75〜150角、構造体柱、4〜50本２１の継手金物で梁天端２８に継手部４８があり、上部に小径木75〜150角、構造体柱、4〜50本２１を接続する為に十字形プレート金物２９が上部に伸びている十字形プレート金物側面１４−４です。
（Ｄ）はボルト穴３２の加工された継手部の十字形プレート金物２９の十字形プレート金物平面１４−３です。
（Ｅ）はボルト穴３２の加工された継手部の十字形プレート金物２９の十字形プレート金物側面１４−４です。
【００４３】
本発明の図１６に記載されているように、３方向部４本構造体偶数柱、８本構造体梁仕口加工平面図の（Ａ）（Ｃ）（Ｄ）はほぞ３８と加工穴５１を加工し、大入線３６まで挿入される小径木75〜150角２列、構造体梁、4〜12本２３の挿入部の平面です。
（Ｂ）は仕口部４９の梁挿入部５０、大入穴３７、ほぞ３９を加工し、十字形プレート金物２９をボルト３１で接続をした小径木75〜150角、構造体柱、4〜50本２１の断面で小径木75〜150角2列、構造体梁、4〜12本２３の端部にはほぞ３８を加工し、大入線３６まで挿入し、直交したボルト３１で締め付け接続する。
【００４４】
本発明の図１７に記載されているように、４本構造体偶数柱、８本構造体梁、仕口加工断・側面図は図１６と同様の接続をする。
【００４５】
本発明の図１８に記載されているように、小径木の角材の４本構造体偶数柱、８本構造体梁全体構成側面図の（Ａ）は小径木75〜150角１−１に十字形プレート金物２９を接続加工し、小径木75〜150角１−１の接合部に構造用接着剤３４を塗布し、直交したボルト３１やビス３３で接続し、小径木75〜150角、構造体柱、4〜50本２１にした小径木75〜150角構造体偶数柱側面４です。
（Ｂ）は小径木75〜150角１−１に十字形プレート金物２９取り付け加工穴５１を設けて接合部に構造用接着剤３４を塗布し、直交したボルト３１やビス３３で接続し、小径木75〜150角２列、構造体梁、4〜12本２３にした小径木75〜150角、構造体平面８−１です。
（Ｃ）は小径木75〜150角１−１に十字形プレート金物２９取り付け加工穴５１を設けて接合部に構造用接着剤３４を塗布し、直交したボルト３１やビス３３で接続し、小径木75〜150角２列、構造体梁、4〜12本２３にした小径木75〜150角、構造体側面８−２です。
【００４６】
本発明は図１９に記載されているように、4〜50本構造体柱、6〜54本構造体袖付柱平面図の（Ａ）（Ｂ）（Ｃ）（Ｄ）はで接合部に構造接着剤３４を塗布し、ボルト３１とビス３３を直交させた小径木75〜150角、構造体柱、4〜50本２１です。
（Ｅ）（Ｆ）（Ｇ）（Ｈ）は小径木75〜150角、構造体袖付柱、6〜5４本２２で接合部に構造接着剤３４を塗布し、ボルト３１とビス３３を直交させた小径木75〜150角、構造体袖付柱、6〜54本２２です。
【００４７】
本発明は図２０に記載されているように、7〜54本構造体袖付柱平面図１の（Ａ）（Ｂ）（Ｃ）（Ｄ）（Ｅ）（Ｆ）（Ｇ）（Ｈ）は小径木75〜150角１−１に接合部に構造接着剤３４を塗布し、ボルト３１とビス３３を直交させた小径木75〜150角、構造体袖付柱7〜5４本２２です。
【００４８】
本発明は図２１に記載されているように、図２０と同様にする。
【００４９】
本発明は図２２に記載されているように、２列４〜１２本構造体梁、６〜１４本構造体袖付梁断面図の（Ａ）（Ｂ）（Ｃ）（Ｄ）（Ｅ）で接合部に構造接着剤３４を塗布し、ボルト３１とビス３３を直交させた小径木75〜150角2列、構造体梁、4〜12本２３です。
（Ｆ）（Ｇ）（Ｈ）（Ｉ）（Ｊ）は小径木75〜150角１−１に接合部に構造接着剤３４を塗布し、ボルト３１とビス３３を直交させた小径木75〜150角、構造体袖付柱、6〜14本２４です。
【００５０】
本発明は図２３に記載されているように、３列８〜１８本構造体梁、８〜２０本構造体袖付梁断面図の（Ａ）（Ｂ）（Ｃ）（Ｄ）（Ｅ）で接合部に構造接着剤１８を塗布し、ボルト３１とビス３３を直交させた小径木75〜150角3列、構造体梁、6〜18本２５です。
（Ｆ）（Ｇ）（Ｈ）（Ｉ）（Ｊ）は小径木75〜150角１−１に接合部に構造接着剤３４を塗布し、ボルト３１とビス３３を直交させた小径木75〜150角、構造体袖付柱、8〜20本２６です。
【００５１】
本発明は図２４に記載されているように、３方向部4本構造体偶数柱、8本構造体梁、仕口平面図で図１と同様の接続にする。
【００５２】
本発明は図２５に記載されているように、中央部4本構造体偶数柱、8本構造体梁、仕口平面図で図１と同様の接続にする。
【００５３】
本発明は図２６に記載されているように、中間階4本構造体偶数柱、8本構造体梁、仕口断・側面図で図１と同様の接続にする。
【００５４】
本発明は図２７に記載されているように、最上階4本構造体偶数柱、8本構造体梁仕口断・側面図で図１と同様の接続にする。
【００５５】
本発明は図２８に記載されているように、中間部継手4本構造体偶数柱、8本構造体梁断・側面図で図１と同様の接続にする。
また、柱の継手部４８は小径木75〜150角、構造体柱、4〜50本２１の梁天端２８に継手部４８を設け、小径木75〜150角、構造体柱、4〜50本２１の下部４４と上部４３を十字形プレート金物２９に直交したボルト３１とビス３３を介して接合し、剛節構造する。
さらに、ビス３３、ボルト３１、十字形プレート金物２９の木材表面に耐火材と埋木４５をする。
【００５６】
本発明は図２９に記載されているように、隅部9本構造体奇数柱、8本構造体梁仕口平面図は小径木75〜150角、構造体柱、4〜50本２１にＴ字形プレート金物３０に直交したボルト３１を介して、小径木75〜150角、構造体柱、4〜50本２１には大入穴３７加工とほぞ穴３９が加工してあり、小径木75〜150角2列、構造体梁、4〜12本２３の端部加工をしたほぞ３８を挿入し、大入線３６まで挿入する。
また、小径木75〜150角2列、構造体梁、4〜12本２３を挿入してＴ字形プレート金物３０に直交したボルト３１を介して接続にする。
さらに、ビス３３、ボルト３１、十字形プレート金物２９の木材表面に耐火材と埋木４５をする。
【００５７】
本発明は図３０に記載されているように、3方向部9本構造体奇数柱、8本構造体梁仕口平面図は図２９と同様の接続にする。
【００５８】
本発明は図３１に記載されているように、中央部9本構造体奇数柱、8本構造体梁、仕口平面図は図２９と同様の接続にする。
【００５９】
本発明は図３２に記載されているように、中間階部9本構造体奇数柱、8本構造体梁仕口断・側面図で図２９と同様の接続にする。
【００６０】
本発明は図３３に記載されているように、最上階部9本構造体奇数柱、8本構造体梁仕口断・側面図は図２９と同様の接続にする。
【００６１】
本発明は図３４に記載されているように、中間階継手9本構造体奇数柱、8本構造体梁断・側面図は図２８と同様の接続にする。
小径木75〜150角、構造体柱、4〜50本２１の下部４４と上部４３は図２８と同様の接続にする。
また、ビス３３、ボルト３１、十字形プレート金物２９の木材表面に耐火材と埋木４５をする。
【００６２】
本発明は図３５に記載されているように、中間階継手9本構造体奇数柱側面図は小径木75〜150角、構造体柱、4〜50本２１の継手部４８は梁天端より1,000ｍｍ２７上部で継ぎ、下部４４と上部４３は図２と同様の接続にする。
また、ビス３３、ボルト３１、十字形プレート金物２９の木材表面に耐火材と埋木４５をする。
【００６３】
本発明は図３６に記載されているように、中間部継手9本構造体奇数柱、11本構造体奇数柱平面図の（Ａ）は小径木75〜150角、構造体柱、4〜50本２１の接続は図３と同様の接続にする。
（Ｂ）は小径木75〜150角、構造体柱、６〜5４本２２の接続は図２６と同様の接続にする。
また、ビス３３、ボルト３１、十字形プレート金物２９の木材表面に耐火材と埋木４５をする。
【００６４】
本発明は図３７に記載されているように、9本構造体奇数柱脚、11本構造体奇数柱脚側面図の（Ａ）は小径木75〜150角、構造体柱、4〜50本２１の接続は図４と同様の接続にする。
（Ｂ）は小径木75〜150角、構造体柱、６〜5４本２２の接続は図２７と同様の接続にする。
さらに、ビス３３、ボルト３１、十字形プレート金物２９の木材表面に耐火材と埋木４５をする。
【００６５】
本発明は図３８に記載されているように、9本構造体奇数柱脚、11本構造体奇数柱脚
平面図の（Ａ）は小径木75〜150角、構造体柱、4〜50本２１の接続は図５と同様の接
続にする。
（Ｂ）は小径木75〜150角、構造体柱、６〜5４本２２の接続は図２８と同様の接続にする。
また、ビス３３、ボルト３１、十字形プレート金物２９の木材表面に耐火材と埋木４５をする。
【００６６】
以上、プレート金物としてＴ字形プレート金物３０または十字形プレート金物２９を採用した場合について説明してきたが、次に、I字形プレート金物３０−１、L字形相欠きプレート金物３０−２、鍔付きI字形プレート金物３０−３、鍔付きL字形プレート金物３０−４、I字形相欠きプレート金物３０−５について、図面により説明する。
【００６７】
本発明は図３９に記載されているように、隅部２０本構造体偶数柱、１６本構造体隅数梁、I字形相欠きクロス交差プレート金物仕口平面図は小径木75×37〜150×75角、構造体柱、8〜50本２１-1にI字形相欠きプレート金物３０−５を柱内でクロス交差させて直交したボルト３１を介して、小径木75×37〜150×75角、構造体柱、8〜50本２１-1には大入穴３７加工してあり、小径木75×37〜150×75角2列、構造体梁、8〜28本２３−１の端部加工をした大入３５まで挿入して直交したボルト３１を介して接合にする。
また、ビス３３、ボルト３１、I字形相欠きプレート金物３０−５の木材表面に耐火材と埋木４５をする。
【００６８】
本発明は図４０に記載されているように、隅部・中間階２０本構造体偶数柱、１６本構造体隅数梁、I字形相欠きクロス交差プレート金物、仕口側面図は図３９と同様の接合にする。
また、小径木75×37〜150×75角、構造体筋交、4〜12本６４をＩ字形相欠きプレート金物３０−５に直交したボルト３１で剛節構造にする。
【００６９】
本発明は図４１に記載されているように、隅部・最上階２０本構造体偶数柱、１６本構造体隅数梁、Ｉ字形相欠きクロス交差プレート金物、仕口側面図は図３９と同様の接合にする。
【００７０】
本発明は図４２に記載されているように、隅部・中間階継手部柱２０本構造体偶数柱、１６本構造体隅数梁、Ｌ字形相欠きクロス交差プレート金物、仕口側面図は小径木75×37〜150×75角、構造体柱、8〜50本２１−１にＬ字形相欠きプレート金物３０−２を柱内でクロス交差させて直交したボルト３１を介して剛節して小径木75×37〜150×75角、構造体柱、8〜50本２１−１には大入穴３７加工してあり、小径木75×37〜150×75角2列、構造体梁、8〜28本２３−１の端部加工をした大入３５まで挿入して直交したボルト３１を介して接合にする。
また、小径木75×37〜150×75角、構造体筋交、4〜12本６４をＬ字形相欠きプレート金物３０−２に直交したボルト３１で剛節構造にする。
【００７１】
本発明は図４３に記載されているように、２０本構造体偶数柱・脚柱、I字形プレート金物、仕口平面図は小径木75×37〜150×75角、構造体柱、8〜50本２１−１にI字形プレート金物３０−５に直交させたボルト３１で固定して２３−１流動性ケミカル樹脂で結合させての基礎コンクリート４６との接続は小径木75×37〜150×75角、構造体柱、8〜50本２１−１にベースプレート５６にI字形プレート金物３０−５に直交させたボルト３１で固定して流動性ケミカル樹脂で結合させてベースプレート５６と基礎コンクリート４６をアンカーボルト５８で結合させる。
また、ビス３３、ボルト３１、Ｉ字形プレート金物２９の木材表面に耐火材と埋木４５をする。
【００７２】
本発明は図４４に記載されているように、２０本構造体偶数柱・脚柱、I字形プレート金物、仕口側面図の接合は図４３と同様の接合にする。
【００７３】
本発明は図４５に記載されているように、２０本構造体偶数柱・中間階継手柱、I字形相欠きクロス交差プレート金物、仕口平面図は下部４３の小径木75×37〜150×75角、構造体柱、8〜50本２１−１と上部４４の小径木75×37〜150×75角、構造体柱、8〜50本２１−１の柱継手部４８でI字形相欠きプレート金物３０−５を柱内でクロス交差させて直交したボルト３１と流動性ケミカル樹脂を介して結合させる。
【００７４】
本発明は図４６に記載されているように、２０本構造体偶数柱・中間階継手柱、I字形相欠きクロス交差プレート金物、仕口側面図は図４５と同様の接合にする。
【００７５】
本発明は図４７に記載されているように、隅部２０本構造体偶数柱、１６本構造体隅数梁、I字形相欠きクロス交差プレート金物、仕口平面図は図３９と同様の接合にする。
【００７６】
本発明は図４８に記載されているように、隅部中間階２０本構造体偶数柱、１６本構造体隅数梁、I字形相欠きクロス交差プレート金物、仕口側面図は図４０と同様の接合にする。
【００７７】
本発明は図４９に記載されているように、隅部最上階２０本構造体偶数柱、１６本構造体隅数梁、I字形相欠きクロス交差プレート金物、仕口側面図は図４１と同様の接合にする。
【００７８】
本発明は図５０に記載されているように、隅部中間階継手部２０本構造体偶数、１６本構造体隅数梁、I字形相欠きクロス交差プレート金物、仕口側面図は図４２と同様の接合にする。
【００７９】
本発明は図５１に記載されているように、２０本構造体偶数柱・脚柱、I字形プレート金物、仕口側面図は図４４と同様の接合にする。
【００８０】
本発明は図５２に記載されているように、２０本構造体偶数柱・脚柱、I字形プレート金物、仕口側平面図は図４３と同様の接合にする。
【００８１】
本発明は図５３に記載されているように、２０本構造体偶数柱・中間階継手柱、I字形相欠きクロス交差プレート金物、仕口平面図は図４５と同様の接合にする。
【００８２】
本発明は図５４に記載されているように、２０本構造体偶数柱・中間階継手柱、I
字形相欠きクロス交差プレート金物、仕口平面図は図４６と同様の接合にする。
【００８３】
本発明は図５５に記載されているように、隅部１８本構造体偶数柱、１６本構造体隅数梁、I字形プレート金物、仕口平面図は小径木75×37〜150×75角、構造体柱、8〜50本２１-1にI字形プレート金物３０−1に直交したボルト３１を介して、小径木75×37〜150×75角、構造体柱、8〜50本２１-1には大入穴３７加工してあり、小径木75×37〜150×75角2列、構造体梁、8〜28本２３−１の端部加工をして大入３５まで挿入して直交したボルト３１を介して接合にする。
さらに、ビス３３、ボルト３１、I字形プレート金物３０−１の木材表面に耐火材と埋木４５をする。
【００８４】
本発明は図５６に記載されているように、隅部・中間階１８本構造体偶数柱、１６本構造体隅数梁、I字形プレート金物、仕口側面図は図５５と同様の接合にする。
【００８５】
本発明は図５７に記載されているように、隅部・最上階１８本構造体偶数柱、１６本構造体隅数梁、I字形プレート金物、仕口側面図は図５５と同様の接合にする。
【００８６】
本発明は図５８に記載されているように、隅部・中間階継手部柱１８本構造体偶数柱、１６本構造体隅数梁、L、I字形プレート金物、仕口平面図は下部４４の小径木75×37〜150×75角、構造体柱、8〜50本２１−１にL字形プレート金物３０−２とI字形プレート金物３０−１に直交したボルト３１を介して、小径木75×37〜150×75角、構造体柱、8〜50本２１-1には大入穴３７加工してあり、小径木75×37〜150×75角2列、構造体梁、8〜28本２３−１の端部加工をした大入３５まで挿入して直交したボルト３１を介して接合にする。
また、柱継手部４８に上部４３の小径木75×37〜150×75角、構造体柱、8〜50本２１−１を接続させて直交させたボルト３１を介して結合させる。
【００８７】
本発明は図５９に記載されているように、隅部・中間階継手部柱１８本構造体偶数柱、１６本構造体隅数梁、L、I字形プレート金物、仕口側面図は図５８と同様の接合にする。
【００８８】
本発明は図６０に記載されているように、１８本構造体偶数柱・脚柱、I字形プレート金物、仕口側面図は図４４と同様の接合にする。
【００８９】
本発明は図６１に記載されているように、１８本構造体偶数柱・脚柱、I字形プレート金物、仕口側面図は図４４と同様の接合にする。
【００９０】
本発明は図６２に記載されているように、２０本構造体偶数柱・中間階継手柱、I字形相欠きクロス交差プレート金物、仕口平面図は図４５と同様の接合にする。
【００９１】
本発明は図６３に記載されているように、２０本構造体偶数柱・中間階継手柱、I字形相欠きクロス交差プレート金物、仕口側面図は図４６と同様の接合にする。
【００９２】
本発明は図６４に記載されているように、隅部１８本構造体偶数柱、１６本構造体隅数梁、鍔付きI字形プレート金物、仕口平面図は小径木75×37〜150×75角、構造体柱、8〜50本２１−１に鍔付きI字形プレート金物３０−２に直交したボルト３１を介して固定して小径木75×37〜150×75角、構造体柱、8〜50本２１-1には大入穴３７加工してあり、小径木75×37〜150×75角2列、構造体梁、8〜28本２３−１の端部加工をした大入３５まで挿入して直交したボルト３１を介して接合にする。
さらに、ビス３３、ボルト３１、鍔付きI字形プレート金物３０−３の木材表面に耐火材と埋木４５をする。
【００９３】
本発明は図６５に記載されているように、隅部・中間階１８本構造体偶数柱、１６本構造体隅数梁、鍔付きI字形プレート金物、仕口側面図は図６４と同様の接合にする。
【００９４】
本発明は図６６に記載されているように、隅部・最上階１８本構造体偶数柱、１６本構造体隅数梁、鍔付きI字形プレート金物、仕口側面図は図６４と同様の接合にする。
【００９５】
本発明は図６７に記載されているように、隅部・中間階継手部柱１８本構造体偶数柱、１６本構造体隅数梁、鍔付きI、Ｌ字形プレート金物、仕口平面図は下部４４の小径木75×37〜150×75角、構造体柱、8〜50本２１−１に鍔付きL字形プレート金物３０−４と鍔付きI字形プレート金物３０−３に直交したボルト３１を介して、小径木75×37〜150×75角、構造体柱、8〜50本２１-1には大入穴３７加工してあり、小径木75×37〜150×75角2列、構造体梁、8〜28本２３−１の端部加工をした大入３５まで挿入して直交したボルト３１を介して接合にする。
また、柱継手部４８に鍔付きＬ字形プレート金物３０−４と鍔付きI字形プレート金物３０−３を接合させて上部４３の小径木75×37〜150×75角、構造体柱、8〜50本２１−１を接続させて直交させたボルト３１を介して結合させる。
【００９６】
本発明は図６８に記載されているように、隅部・中間階継手部柱１８本構造体偶数柱、１６本構造体隅数梁、鍔付きＩ、L字形プレート金物、仕口側面図は図６７と同様の接合にする。
【００９７】
本発明は図６９に記載されているように、１８本構造体偶数柱・脚柱、I字形プレート金物、仕口側面図は図４４と同様の接合にする。
【００９８】
本発明は図７０に記載されているように、１８本構造体偶数柱・脚柱、I字形プレート金物、仕口平面図は図４３と同様の接合にする。
【００９９】
本発明は図７１に記載されているように、１８本構造体偶数柱・中間階継手柱、鍔付きI、Ｌ字形プレート金物、仕口平面図は下部４４の小径木75×37〜150×75角、構造体柱、8〜50本２１−１に鍔付きI字形プレート金物３０−３を接合させて直交したボルト３１を介して固定して上部４３の小径木75×37〜150×75角、構造体柱、8〜50本２１−１を接続して直交したボルト３１を介して固定する。
【０１００】
本発明は図７２に記載されているように、１８本構造体偶数柱・中間階継手柱、鍔付きI字形プレート金物、仕口平面図は図７１と同様の接合にする。
【０１０１】
本発明は図７３に記載されているように、隅部８本構造体偶数柱、１６本構造体隅数梁、鍔付きI字形プレート金物、仕口平面図は小径木75×37〜150×75角、構造体柱、8〜50本２１−１に鍔付きI字形プレート金物３０−３に直交したボルト３１を介して固定して小径木75×37〜150×75角、構造体柱、8〜50本２１-1には大入穴３７加工してあり、小径木75×37〜150×75角2列、構造体梁、8〜28本２３−１の端部加工をした大入３５まで挿入して直交したボルト３１を介して接合にする。
さらに、ビス３３、ボルト３１、鍔付きI字形プレート金物３０−３の木材表面に耐火材と埋木４５をする。
【０１０２】
本発明は図７４に記載されているように、隅部・中間階８本構造体偶数柱、１６本構造体隅数梁、鍔付きI字形プレート金物、仕口側面図は図７３と同様の接合にする。
【０１０３】
本発明は図７５に記載されているように、隅部・最上階８本構造体偶数柱、１６本構造体隅数梁、鍔付きI字形プレート金物、仕口側面図は図７３と同様の接合にする。
【０１０４】
本発明は図７６に記載されているように、隅部・中間階継手部柱８本構造体偶数柱、１６本構造体隅数梁、鍔付きI字形相欠きクロス交差プレート金物、仕口平面図は下部４４の小径木75×37〜150×75角、構造体柱、8〜50本２１−１に鍔付きI字形相欠きプレート金物３０−６を柱内でクロス交差させて直交したボルト３１を介して固定して上部４３の小径木75×37〜150×75角、構造体柱、8〜50本２１-1を直交したボルト３１を介して接合させて鍔付きI字形相欠きプレート金物３０−６に直交させたボルト３１で接合させる。
また、小径木75×37〜150×75角、構造体柱、8〜50本２１−１には大入穴３７加工してあり、小径木75×37〜150×75角2列、構造体梁、8〜28本２３−１の端部加工をした大入３５まで挿入して直交したボルト３１を介して接合にする。
さらに、ビス３３、ボルト３１、鍔付きI字形相欠きプレート金物３０−６の木材表面に耐火材と埋木４５をする。
【０１０５】
本発明は図７７に記載されているように、隅部・中間階継手部柱８本構造体偶数柱、１６本構造体隅数梁、鍔付きI字形相欠きクロス交差プレート金物、仕口側面図は図７６と同様の接合にする。
【０１０６】
本発明は図７８に記載されているように、８、１２本構造体偶数柱・脚柱、I字形プレート金物、仕口側面図は図４４と同様の接合にする。
【０１０７】
本発明は図７９に記載されているように、８、１２本構造体偶数柱・脚柱、I字形プレート金物、仕口平面図は図４３と同様の接合にする。
【０１０８】
本発明は図８０に記載されているように、１８本構造体偶数柱・中間階継手柱、I字形プレート相欠き金物、仕口平面図は下部４４の小径木75×37〜150×75角、構造体柱、8〜50本２１−１にI字形相欠きプレート金物３０−５を柱内でクロス交差させて直交したボルト３１を介して固定して上部４３の小径木75×37〜150×75角、構造体柱、8〜50本２１−１は柱継手部４８で接合させてI字形相欠きプレート金物３０−５に直交させたボルト３１で接合させる。
また、ビス３３、ボルト３１、I字形相欠きプレート金物３０−５の木材表面に耐火材と埋木４５をする。
【０１０９】
本発明は図８１に記載されているように、１８本構造体偶数柱・中間階継手柱、I字形プレート金物、仕口側面図は図８０と同様の接合にする。
【実施例】
【０１１０】
本発明は、地域産の材料を利用して木造の準耐火建築物や木造の耐震構造や恒久的建築物にでき、特殊建築物や中高層建築が可能となる。
また、住宅、保育園、幼稚園、学校、体育館、劇場、公会堂、集会所、公共建築物、市場、事務所、集合住宅、定温倉庫の建物に適用できる。
【符号の説明】
【０１１１】
1−1・・小径木75〜150角
1−2・・小径木75〜150角断面
2・・小径木75〜150角構造体の偶数柱断面
3・・小径木75〜150角側面
4・・小径木75〜150角、構造体偶数柱側面
5・・小径木75〜150角、構造体の奇数柱断面
6・・小径木75〜150角、構造体の奇数柱側面
7・・小径木75〜150角、構造体梁断面
8-1・・小径木75〜150角、構造体梁平面
8-2・・小径木75〜150角、構造体梁側面
9-1・・小径木の十字形プレート金物接合柱加工部断面
9-2・・構造体柱の十字形プレート金物接合柱加工部断面
10-1・・小径木の十字形プレート金物接合柱加工部側面
10-2・・構造体柱の十字形プレート金物接合柱加工部側面
11-1・・小径木の柱脚十字形プレート金物接合柱加工部側面
11-2・・構造体柱の柱脚十字形プレート金物接合柱加工部側面
12-1・・小径木の梁挿入部柱加工部断面
12-2・・構造体柱の梁挿入部柱加工部断面
13-1・・小径木の梁挿入部柱加工部側面
13-2・・構造体柱の梁挿入部柱加工部側面
14-1・・Ｔ字形プレート金物平面
14-2・・Ｔ字形プレート金物側面
14-3・・十字形プレート金物平面
14-4・・十字形プレート金物側面
14-5・・十字形プレート金物接合部
15-1・・柱脚十字形プレート金物平面
15-2・・柱脚十字形プレート金物側面
15-3・・柱脚十字形プレート金物接合部
16・・Ｔ字形プレート金物接合部
17-1・・小径木の中間部金物接合柱加工部断面
17-2・・構造体柱の中間部金物接合柱加工部断面
18-1・・小径木の中間部金物接合柱加工部側面
18-2・・構造体柱の中間部金物接合柱加工部側面
19-1・・小径木の中間部梁天端より1,000金物接合柱加工部断面
19-2・・構造体柱の中間部梁天端より1,000金物接合柱加工部断面
20-1・・小径木の中間部梁天端より1,000金物接合柱加工部側面
20-2・・構造体柱の中間部梁天端より1,000金物接合柱加工部側面
21・・小径木75〜150角、構造体柱、4〜50本
21-1・・小径木75*37〜150*75角、構造体柱、8〜50本
22・・小径木75〜150角、構造体袖付柱、6〜54本
22-1・・小径木75*37〜150*75角、構造体袖付柱、12〜54本
23・・小径木75〜150角2列、構造体梁、4〜12本
23-1・・小径木75*37〜150*75角2列、構造体梁、8〜28本
24・・小径木75〜150角、構造体袖付柱、6〜14本
24-1・・小径木75*37〜150*75角、構造体袖付柱、14〜56本
25・・小径木75〜150角3列、構造体梁、6〜18本
25-1・・小径木75*37〜150*75角3列、構造体梁、12〜40本
26・・小径木75〜150角、構造体袖付柱、8〜20本
26-1・・小径木75*37〜150*75角、構造体袖付柱、16〜58本
27・・梁天端より1,000
28・・梁天端
29・・十字形プレート金物
30・・Ｔ字形プレート金物
30-1・・I字形プレート金物
30-2・・L字形相欠きプレート金物
30-3・・鍔付きI字形プレート金物
30-4・・鍔付きL字形プレート金物
30-5・・I字形相欠きプレート金物
30-6・・鍔付きI字形相欠きプレート金物
31・・ボルト
32・・ボルト穴
33・・ビス
34・・構造用接着剤
35・・大入15
36・・大入線
37・・大入穴
38・・ほぞ
39・・ほぞ穴
40・・液体ガラス
41・・ケミカル樹脂
42・・ケミカル樹脂注入孔
43・・上部
44・・下部
45・・耐火材と埋木
46・・基礎コンクリート
47・・アンカー鉄筋
48・・柱継手部
48-1・・梁天端
49・・仕口部
50・・梁挿入部
51・・加工穴
52・・加工線
53・・取付ビス
54・・添梁
55・・後打ちビス
56・・ベースプレート
57・・無収縮モルタル
58・・アンカーボルト
59・・アンカーアングル
60・・高さ調整用鉄筋
61・・銅板
62・・貫通穴
63・・火打梁
6４・・75〜150角構造体筋交、4〜12本
【図１】
2014062448.tif 000003
【図２】
2014062448.tif 000004
【図３】
2014062448.tif 000005
【図４】
2014062448.tif 000006
【図５】
2014062448.tif 000007
【図６】
2014062448.tif 000008
【図７】
2014062448.tif 000009
【図８】
2014062448.tif 000010
【図９】
2014062448.tif 000011
【図１０】
2014062448.tif 000012
【図１１】
2014062448.tif 000013
【図１２】
2014062448.tif 000014
【図１３】
2014062448.tif 000015
【図１４】
2014062448.tif 000016
【図１５】
2014062448.tif 000017
【図１６】
2014062448.tif 000018
【図１７】
2014062448.tif 000019
【図１８】
2014062448.tif 000020
【図１９】
2014062448.tif 000021
【図２０】
2014062448.tif 000022
【図２１】
2014062448.tif 000023
【図２２】
2014062448.tif 000024
【図２３】
2014062448.tif 000025
【図２４】
2014062448.tif 000026
【図２５】
2014062448.tif 000027
【図２６】
2014062448.tif 000028
【図２７】
2014062448.tif 000029
【図２８】
2014062448.tif 000030
【図２９】
2014062448.tif 000031
【図３０】
2014062448.tif 000032
【図３１】
2014062448.tif 000033
【図３２】
2014062448.tif 000034
【図３３】
2014062448.tif 000035
【図３４】
2014062448.tif 000036
【図３５】
2014062448.tif 000037
【図３６】
2014062448.tif 000038
【図３７】
2014062448.tif 000039
【図３８】
2014062448.tif 000040
【図３９】
2014062448.tif 000041
【図４０】
2014062448.tif 000042
【図４１】
2014062448.tif 000043
【図４２】
2014062448.tif 000044
【図４３】
2014062448.tif 000045
【図４４】
2014062448.tif 000046
【図４５】
2014062448.tif 000047
【図４６】
2014062448.tif 000048
【図４７】
2014062448.tif 000049
【図４８】
2014062448.tif 000050
【図４９】
2014062448.tif 000051
【図５０】
2014062448.tif 000052
【図５１】
2014062448.tif 000053
【図５２】
2014062448.tif 000054
【図５３】
2014062448.tif 000055
【図５４】
2014062448.tif 000056
【図５５】
2014062448.tif 000057
【図５６】
2014062448.tif 000058
【図５７】
2014062448.tif 000059
【図５８】
2014062448.tif 000060
【図５９】
2014062448.tif 000061
【図６０】
2014062448.tif 000062
【図６１】
2014062448.tif 000063
【図６２】
2014062448.tif 000064
【図６３】
2014062448.tif 000065
【図６４】
2014062448.tif 000066
【図６５】
2014062448.tif 000067
【図６６】
2014062448.tif 000068
【図６７】
2014062448.tif 000069
【図６８】
2014062448.tif 000070
【図６９】
2014062448.tif 000071
【図７０】
2014062448.tif 000072
【図７１】
2014062448.tif 000073
【図７２】
2014062448.tif 000074
【図７３】
2014062448.tif 000075
【図７４】
2014062448.tif 000076
【図７５】
2014062448.tif 000077
【図７６】
2014062448.tif 000078
【図７７】
2014062448.tif 000079
【図７８】
2014062448.tif 000080
【図７９】
2014062448.tif 000081
【図８０】
2014062448.tif 000082
【図８１】
2014062448.tif 000083